(57)【要約】無線通信システムにおいて、移動局は、サービング無線アクセスネットワーク（ＲＡＮ）との“キープアライブ”シグナリングを実行し、そして、必ずしもデータ部を伴わない、その識別情報を送信する。サービングＲＡＮは、必ずしも承認するわけではない。それによって、移動局は、サービングＲＡＮとの状態同期を維持する。それはまた、“キープアライブ”トランスミッションが続かない場合に、タイムリーにコンテキストをリリースすることができることにおいて利益を受ける。一つの態様において、移動局は、０バイトのＭＡＣバッファ・ステータス・レポート（その識別するセル無線ネットワーク一時識別情報（Ｃ−ＲＮＴＩ）は、キープアライブの目的のためにサービングＲＡＮにより使用されることができる）とともに、アップリンク・データ到着のためのランダム・アクセス・プロシージャー（ＲＡＣＨ）を利用する。他の態様において、移動局は、サービングＲＡＮを介した基本的なアクセス・ストラタム（ＡＳ）シグナリングによりサポートされる移動局のための識別情報を含むノンアクセス・ストラタム（ＮＡＳ）シグナリングを実行することができる。このＮＡＳシグナリングの識別が検出され、又は、ダウンストリームの受信者がサービングＲＡＮをアラートする。
2011511584.tif 000002
【特許請求の範囲】
【請求項１】
無線アクセスネットワーク（ＲＡＮ）に対するキープアライブ・シグナリングのための方法において、
サービング無線アクセスネットワークへのトランスミッションのためにキューに入れられているデータが存在しないことを判定することと、
コンテキストの維持を促す、レイヤ３シグナリング・データを伴わない識別信号を周期的に送信することによって、サービング無線アクセスネットワークとの状態同期を維持することを含む方法。
【請求項２】
前記サービング無線アクセスネットワークへのトランスミッションのためにキューに入れられているデータが存在することを判定することと、
発展型ユニバーサル移動通信システムの地上無線アクセスネットワーク（Ｅ−ＵＴＲＡＮ）プロトコルを実行することによって、前記データを送信することを更に含む請求項１の方法。
【請求項３】
無線資源制御（ＲＲＣ）メッセージを送信すること、
前記サービング無線アクセスネットワークによるタイマーのリセットを促すことを更に含む請求項２の方法。
【請求項４】
識別するセル無線ネットワーク一時識別情報（Ｃ−ＲＮＴＩ）を含むメディアアクセス制御（ＭＡＣ）バッファ・ステータス・レポートを送信することによって、識別信号を周期的に送信することを更に含む請求項１の方法。
【請求項５】
前記識別信号を含むノンアクセス・ストラタム・レイヤをサポートする前記サービング無線アクセスネットワークへ、アクセス・ストラタム（ＡＳ）トランスミッションを送信することを更に含む請求項１の方法。
【請求項６】
周期的トラッキング・エリア・アップデートを送信することによって、前記ノンアクセス・ストラタム・レイヤ・シグナリングを送信することを更に含む請求項５の方法。
【請求項７】
前記識別信号を検出するために、前記サービング無線アクセスネットワークのためのメディアアクセス制御（ＭＡＣ）バッファ・ステータス・レポートをトリガーする前記ノンアクセス・ストラタム・レイヤ・シグナリングを送信することを更に含む請求項５の方法。
【請求項８】
ダウンストリームの受信者から前記識別信号を受信するために、前記サービング無線アクセスネットワークのためのメディアアクセス制御（ＭＡＣ）バッファ・ステータス・レポートをトリガーする前記ノンアクセス・ストラタム・レイヤ・シグナリングを送信することを更に含む請求項５の方法。
【請求項９】
レポート要求の判定に応答して、前記サービング無線アクセスネットワークを介して、モビリティ管理エンティティーへ、移動局識別情報をもつノンアクセス・ストラタム周期的トラッキング・エリア・アップデートを送信することと、
データが前記サービング無線アクセスネットワークへアップリンク上で送信されるべきことの判定に応答して、メディアアクセス制御（ＭＡＣ）メッセージを送信することと、
アップリンク・トランスミッションのためにキューに入れられているデータが存在しないことの判定に応答して、アップリンク・データ到着のためのＭＡＣバッファ・ステータス・レポートを送信することによる、
キープアライブ・シグナリングのための複数のオプションのうちの一つを選択することを更に含む請求項１の方法。
【請求項１０】
前記サービング無線アクセスネットワークからの承認を受信することなく、タイマーに基づいて、前記識別信号を周期的に送信することを更に含む請求項１の方法。
【請求項１１】
無線アクセスネットワーク（ＲＡＮ）に対するキープアライブ・シグナリングのための少なくとも一つのプロセッサにおいて、
サービング無線アクセスネットワークへのトランスミッションのためにキューに入れられているデータが存在しないことを判定するための第１のモジュールと、
コンテキストの維持を促す、データを伴わない識別信号を周期的に送信することによって、サービング無線アクセスネットワークとの状態同期を維持するための第２のモジュールとを含むプロセッサ。
【請求項１２】
無線アクセスネットワーク（ＲＡＮ）に対するキープアライブ・シグナリングのためのコンピュータプログラムプロダクトにおいて、
コンピュータに、サービング無線アクセスネットワークへのトランスミッションのためにキューに入れられているデータが存在しないことを判定させるための第１のコードのセットと、
前記コンピュータに、コンテキストの維持を促す、データを伴わない識別信号を周期的に送信することによって、サービング無線アクセスネットワークとの状態同期を維持させるための第２のコードのセットとを含むコンピュータ読み取り可能な記憶媒体を含むコンピュータプログラムプロダクト。
【請求項１３】
無線アクセスネットワーク（ＲＡＮ）に対するキープアライブ・シグナリングのための装置において、
サービング無線アクセスネットワークへのトランスミッションのためにキューに入れられているデータが存在しないことを判定するための手段と、
コンテキストの維持を促す、データを伴わない識別信号を周期的に送信することによって、サービング無線アクセスネットワークとの状態同期を維持するための手段とを含む装置。
【請求項１４】
無線アクセスネットワーク（ＲＡＮ）に対するキープアライブ・シグナリングのための装置において、
サービング無線アクセスネットワークへのトランスミッションのためにキューに入れられているデータが存在しないことを判定するためのコンピュータ・プラットホームと、
コンテキストの維持を促す、データを伴わない識別信号を周期的に送信することによって、サービング無線アクセスネットワークとの状態同期を維持するための送信機とを含む装置。
【請求項１５】
前記コンピュータ・プラットホームは、更に、前記サービング無線アクセスネットワークへのトランスミッションのためにキューに入れられているデータが存在することを判定するためのものであり、
前記送信機は、更に、前記データを送信するためのものである請求項１４の装置。
【請求項１６】
無線資源制御（ＲＲＣ）メッセージを送信すること、
前記サービング無線アクセスネットワークによるタイマーのリセットを促すことを更に含む請求項１５の装置。
【請求項１７】
識別するセル無線ネットワーク一時識別情報（Ｃ−ＲＮＴＩ）を含むメディアアクセス制御（ＭＡＣ）バッファ・ステータス・レポートを送信することによって、識別信号を周期的に送信することを更に含む請求項１４の装置。
【請求項１８】
前記識別信号を含むノンアクセス・ストラタム・レイヤをサポートする前記サービング無線アクセスネットワークへ、アクセス・ストラタム（ＡＳ）トランスミッションを送信することを更に含む請求項１４の装置。
【請求項１９】
周期的トラッキング・エリア・アップデートを送信することによって、前記ノンアクセス・ストラタム・レイヤ・シグナリングを送信することを更に含む請求項１８の装置。
【請求項２０】
前記識別信号を検出するために、前記サービング無線アクセスネットワークのためのメディアアクセス制御（ＭＡＣ）バッファ・ステータス・レポートをトリガーする前記ノンアクセス・ストラタム・レイヤ・シグナリングを送信することを更に含む請求項１８の装置。
【請求項２１】
ダウンストリームの受信者から前記識別信号を受信するために、前記サービング無線アクセスネットワークのためのメディアアクセス制御（ＭＡＣ）バッファ・ステータス・レポートをトリガーする前記ノンアクセス・ストラタム・レイヤ・シグナリングを送信することを更に含む請求項１８の装置。
【請求項２２】
レポート要求の判定に応答して、前記サービング無線アクセスネットワークを介して、モビリティ管理エンティティーへ、移動局識別情報をもつノンアクセス・ストラタム周期的トラッキング・エリア・アップデートを送信し、
データが前記サービング無線アクセスネットワークへアップリンク上で送信されるべきことの判定に応答して、メディアアクセス制御（ＭＡＣ）メッセージを送信し、
アップリンク・トランスミッションのためにキューに入れられているデータが存在しないことの判定に応答して、アップリンク・データ到着のためのＭＡＣバッファ・ステータス・レポートを送信することによる、
キープアライブ・シグナリングのための複数のオプションのうちの一つを選択することを更に含む請求項１４の装置。
【請求項２３】
前記送信機は、更に、前記サービング無線アクセスネットワークからの承認を受信することなく、タイマーに基づいて、前記識別信号を周期的に送信するためのものである請求項１４の装置。
【請求項２４】
無線アクセスネットワーク（ＲＡＮ）において移動局からキープアライブ・シグナリングを受信するための方法において、
データを伴わない識別信号を移動局から周期的に受信することと、
前記識別信号に基づいて、前記移動局のためのキープアライブ・タイマーをリセットすることと、
前記移動局のためにコンテキストを維持することを含む方法。
【請求項２５】
前記移動局からデータを受信することと、
前記受信されたシグナリング・データからの前記移動局の識別情報の判定に基づいて、前記移動局のための前記キープアライブ・タイマーをリセットすることを更に含む請求項２４の方法。
【請求項２６】
前記移動局から無線資源制御（ＲＲＣ）メッセージを受信することによってシグナリング・データを受信することを更に含む請求項２５の方法。
【請求項２７】
識別するセル無線ネットワーク一時識別情報（Ｃ−ＲＮＴＩ）を含むメディアアクセス制御（ＭＡＣ）バッファ・ステータス・レポートを受信することによって前記識別信号を周期的に受信することを更に含む請求項２４の方法。
【請求項２８】
前記移動局からアクセス・ストラタム（ＡＳ）トランスミッションを受信することと、
前記識別信号が添付され且つダウンストリームの受信者への前記ＡＳトランスミッションによりサポートされる、ノンアクセス・ストラタム・レイヤ・シグナリングを中継することを更に含む請求項２４の方法。
【請求項２９】
周期的トラッキング・エリア・アップデートを受信することによって前記ノンアクセス・ストラタム・レイヤを受信することを更に含む請求項２８の方法。
【請求項３０】
前記サービング無線アクセスネットワークにおいて前記ノンアクセス・ストラタム・レイヤ・シグナリングに添付された前記識別信号を検出することを更に含む請求項２８の方法。
【請求項３１】
前記ノンアクセス・ストラタム・レイヤの前記ダウンストリームの受信者から前記添付された識別信号を受信することを更に含む請求項２８の方法。
【請求項３２】
前記移動局からノンアクセス・ストラタム周期的トラッキング・エリア・アップデートを受信することによって前記識別信号を受信することと、
メディアアクセス制御（ＭＡＣ）メッセージを受信することによって前記識別信号を受信することと、
アップリンク・データ到着のためのＭＡＣバッファ・ステータス・レポートを受信することによる、
前記移動局により実行されるキープアライブ・シグナリングのための複数のオプションのうちの選択された一つに対応することを更に含む請求項２４の方法。
【請求項３３】
前記識別信号を周期的に受信することと、
前記移動局への識別信号の受信を承認することなく、前記キープアライブ・タイマーをリセットすることを更に含む請求項２４の方法。
【請求項３４】
前記識別信号を周期的に受信することと、
前記移動局への識別信号の受信を承認することを更に含む請求項２４の方法。
【請求項３５】
無線アクセスネットワーク（ＲＡＮ）において移動局からキープアライブ・シグナリングを受信するための少なくとも一つのプロセッサにおいて、
データを伴わない識別信号を移動局から周期的に受信するための第１のモジュールと、
前記識別信号に基づいて、前記移動局のためのキープアライブ・タイマーをリセットするための第２のモジュールと、
前記移動局のためにコンテキストを維持するための第３のモジュールとを含むプロセッサ。
【請求項３６】
無線アクセスネットワーク（ＲＡＮ）において移動局からキープアライブ・シグナリングを受信するためのコンピュータプログラムプロダクトにおいて、
コンピュータに、データを伴わない識別信号を移動局から周期的に受信させるための第１のコードのセットと、
前記コンピュータに、前記識別信号に基づいて、前記移動局のためのキープアライブ・タイマーをリセットさせるための第２のコードのセットと、
前記コンピュータに、前記移動局のためにコンテキストを維持させるための第３のコードのセットとを含むコンピュータ読み取り可能な記憶媒体を含むコンピュータプログラムプロダクト。
【請求項３７】
無線アクセスネットワーク（ＲＡＮ）において移動局からキープアライブ・シグナリングを受信するための装置において、
データを伴わない識別信号を移動局から周期的に受信するための手段と、
前記識別信号に基づいて、前記移動局のためのキープアライブ・タイマーをリセットするための手段と、
前記移動局のためにコンテキストを維持するための手段とを含む装置。
【請求項３８】
無線アクセスネットワーク（ＲＡＮ）において移動局からキープアライブ・シグナリングを受信するための装置において、
データを伴わない識別信号を移動局から周期的に受信するための受信機、
前記識別信号に基づいて、前記移動局のためのキープアライブ・タイマーをリセットするための及び前記移動局のためにコンテキストを維持するためのコンピュータ・プラットホームとを含む装置。
【請求項３９】
前記受信機は、更に、シグナリング・デートを復号化することによって前記移動局からデータを受信するためのものであり、
前記コンピュータ・プラットホームは、更に、前記受信されたシグナリング・データからの前記移動局の識別情報の判定に基づいて、前記移動局のためのキープアライブ・タイマーをリセットするためのものである請求項３８の装置。
【請求項４０】
前記受信機は、更に、前記移動局から無線資源制御（ＲＲＣ）メッセージを受信することによってシグナリング・データを受信するためのものである請求項３９の装置。
【請求項４１】
前記受信機は、更に、識別するセル無線ネットワーク一時識別情報（Ｃ−ＲＮＴＩ）を含むメディアアクセス制御（ＭＡＣ）バッファ・ステータス・レポートを受信することによって、前記識別信号を周期的に受信するためのものである請求項３８の装置。
【請求項４２】
前記受信機は、更に、前記移動局からアクセス・ストラタム（ＡＳ）トランスミッションを受信するためのものであり、
前記コンピュータ・プラットホームは、更に、前記識別信号に添付され且つダウンストリームの受信者への前記ＡＳトランスミッションによりサポートされる、ノンアクセス・ストラタム・レイヤ・シグナリングを中継するためのものである請求項３８の装置。
【請求項４３】
前記受信機は、更に、周期的トラッキング・エリア・アップデートを受信することによって前記ノンアクセス・ストラタム・レイヤを受信するためのものである請求項４２の装置。
【請求項４４】
前記コンピュータ・プラットホームは、更に、前記サービング無線アクセスネットワークにおいて前記ノンアクセス・ストラタム・レイヤ・シグナリングに添付された前記識別信号を検出するためのものである請求項４２の装置。
【請求項４５】
前記受信機は、更に、前記ノンアクセス・ストラタム・レイヤの前記ダウンストリームの受信者から前記識別信号を受信するためのものである請求項４２の装置。
【請求項４６】
前記コンピュータ・プラットホームは、更に、前記移動局により実行されるキープアライブ・シグナリングのための複数のオプションのうちの選択された一つに対応するものであり、
前記無線機は、更に、前記移動局からノンアクセス・ストラタム周期的トラッキング・エリア・アップデートを受信することによって前記識別信号を受信するための、メディアアクセス制御（ＭＡＣ）メッセージを受信することによって前記識別信号を受信するための、及び、アップリンク・データ到着のためのＭＡＣバッファ・ステータス・レポートを受信するためのものである請求項３８の装置。
【請求項４７】
前記受信機は、更に、前記識別信号を周期的に受信するためのものであり、
前記コンピュータ・プラットホームは、更に、前記移動局への識別信号の受信を承認することなく、前記キープアライブ・タイマーをリセットするものである請求項３８の装置。
【請求項４８】
前記受信機は、更に、前記識別信号を周期的に受信するためのものであり、
前記コンピュータ・プラットホームは、更に、前記移動局への識別信号の受信を承認するためのものである請求項３８の装置。
【発明の詳細な説明】
【技術分野】
【０００１】
（関連する出願）
本特許出願は、２００８年２月２日付け提出され、「RAN LEVEL ‘KEEP ALIVE’ SIGNALLING」と題された米国仮出願第６１／０２５，７７０号の優先権を主張する。そして、その全体が参照により本明細書に明確に組み込まれる。
【０００２】
（技術分野）
本発明は、モバイル電話に関係し、特に広帯域符号分割多元接続（ＷＣＤＭＡ）を含むモバイル電話をサービスする無線アクセスネットワーク（ＲＡＮ）におけるコンテキスト“キープアライブ（keep alive）”に関係する。
【背景技術】
【０００３】
例えばボイス、ビデオ、パケット・データ、メッセージング、ブロードキャストなどのような様々なサービスを提供するために、無線通信ネットワークが広く配置される。これらの無線ネットワークは、利用可能なネットワーク資源を共有することによって、複数のユーザをサポートすることができる多元接続ネットワークであっても良い。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及びシングルキャリアＦＤＭＡ（ＳＣ−ＦＤＭＡ）ネットワークを含む。
【０００４】
ＷＣＤＭＡ（広帯域符号分割多元接続（Wideband Code Division Multiple Access））は、モバイル通信のための第３世代標準になった。ＷＣＤＭＡは、制限されたデータ能力によるボイス通信を指向する第２世代標準を、ＧＳＭ（グローバル移動体通信システム（Global System for Mobile Communications））に置き換える。ボイス通信についてだけでなく、ウェブ閲覧、電子メールのダウンロード、及び画像の送信についても、ユーザによる要望は、より高いデータレート能力に関する要望を出した。ＷＣＤＭＡ標準は、５ＭＨｚのキャリアをもつスペクトルを提供する。そして、それは、第２世代のＧＳＭ技術に比べておよそ５０倍高いデータレートを提供する。より高いデータレート能力とともに、より多くの電力を使用する必要性、言い換えると、モバイル又はセルラー電話のバッテリー寿命に対する要求を緩和するために省電力をもつ必要性が生じる。
【０００５】
無線ネットワークにおいて、資源を適切にスケジューリングするために、また、通信セッションを首尾良くルーティングし維持するために、移動局のプレゼンス（presence）がネットワークにより維持される。受信されるデータには、上記プレゼンスのトラッキングの維持をサポートできる移動局（又は、ユーザ装置）に関する識別情報が添付される。逆に言えば、移動局は、しばしば、無線アクセスネットワーク（ＲＡＮ）のカバレージエリアを離れ、長期間の間、オフにされ、又は、サービングＲＡＮを介した継続するセッションを阻むフェーディング・チャネルを被る可能性がある。それゆえ、ＲＡＮが、資源を解放することを許され、また、そのような離れている移動局に関するプレゼンス・トラッキングの維持を中断することを許されることは、有利である。
【０００６】
多くの例において、移動局は、データ通信セッションはアクティブでないが、サービングＲＡＮとの状態同期が要求される状態に入る。それによって、将来のセッションはすぐに開始されることができ、あるいは、移動局はサービングＲＡＮを介して他の局により速く接続されることができる。しばしば、そのような移動局は、最小限の送信がなされるべき省電力状態（データ・アイドル状態）に入る。しかし、従来は、サービングＲＡＮにおいて移動局に関するコンテキストを“キープアライブ”するために、レイヤ３メッセージが移動局からサービングＲＡＮまでなされなければならない。一般的に、レイヤ３メッセージはまた、ＲＡＮからの承認（acknowledgement）を促す。それゆえ、移動局が通信するデータを持たない場合には、そのようなキープアライブ・シグナリングは、エアー資源上で、アップリンク及びダウンリンクの両方を消費する。
【発明の概要】
【０００７】
以下は、開示された態様の幾つかの態様の基本的な理解を提供するために、簡略化された概要を示す。この概要は、外延的な概要ではなく、また、鍵となる又は重要な要素を特定することも、上記態様の範囲を線引きすることも意図されていない。その目的は、後で示されるより詳しい説明に対する前置きとして、説明される特徴の幾つかの概念を簡略化された形で示すことである。
【０００８】
一つ又は複数の態様及びその対応する開示に従って、状態同期のためにユーザ装置（ＵＥ）に関するコンテキストを維持するための無線アクセスネットワーク（ＲＡＮ）レベルにおける“キープアライブ”シグナリングに関連して、様々な態様が説明される。
【０００９】
一つの態様において、サービング無線アクセスネットワークへのトランスミッションのためにキューに入れられているデータが存在しないことを判定することと、コンテキストの維持を促す、データを伴わない識別信号を周期的に送信することによって、サービング無線アクセスネットワークとの状態同期を維持することによって、無線アクセスネットワーク（ＲＡＮ）に対するキープアライブ・シグナリングのための方法が提供される。
【００１０】
他の態様において、無線アクセスネットワーク（ＲＡＮ）に対するキープアライブ・シグナリングのための少なくとも一つのプロセッサが提供される。第１のモジュールは、サービング無線アクセスネットワークへのトランスミッションのためにキューに入れられているデータが存在しないことを判定する。第２のモジュールは、コンテキストの維持を促す、データを伴わない識別信号を周期的に送信することによって、サービング無線アクセスネットワークとの状態同期を維持する。
【００１１】
更なる態様において、無線アクセスネットワーク（ＲＡＮ）に対するキープアライブ・シグナリングのためのコンピュータプログラムプロダクトが提供される。コンピュータ読み取り可能な記憶媒体は、コンピュータに、サービング無線アクセスネットワークへのトランスミッションのためにキューに入れられているデータが存在しないことを判定させるための第１のコードのセットを含む。第２のコードのセットは、前記コンピュータに、コンテキストの維持を促す、データを伴わない識別信号を周期的に送信することによって、サービング無線アクセスネットワークとの状態同期を維持させる。
【００１２】
更に他の態様において、無線アクセスネットワーク（ＲＡＮ）に対するキープアライブ・シグナリングのための装置が提供される。サービング無線アクセスネットワークへのトランスミッションのためにキューに入れられているデータが存在しないことを判定するための手段が提供される。コンテキストの維持を促す、データを伴わない識別信号を周期的に送信することによって、サービング無線アクセスネットワークとの状態同期を維持するための手段が提供される。
【００１３】
更なる態様において、無線アクセスネットワーク（ＲＡＮ）に対するキープアライブ・シグナリングのための装置が提供される。コンピュータ・プラットホームは、サービング無線アクセスネットワークへのトランスミッションのためにキューに入れられているデータが存在しないことを判定する。送信機は、コンテキストの維持を促す、データを伴わない識別信号を周期的に送信することによって、サービング無線アクセスネットワークとの状態同期を維持する。
【００１４】
更に一つの態様において、移動局から添付のデータなしに識別信号を周期的に受信することと、前記識別信号に基づいて、前記移動局のためのキープアライブ・タイマーをリセットすることと、前記移動局のためにコンテキストを維持することによって、無線アクセスネットワーク（ＲＡＮ）において移動局からキープアライブ・シグナリングを受信するための方法が提供される。
【００１５】
さらにもう一つの態様において、無線アクセスネットワーク（ＲＡＮ）における移動局からキープアライブ・シグナリングを受信するために、少なくとも一つのプロセッサが提供される。第１のモジュールは、移動局から添付のデータなしに識別信号を周期的に受信する。第２のモジュールは、前記識別信号に基づいて、前記移動局のためのキープアライブ・タイマーをリセットする。第３のモジュールは、前記移動局のためにコンテキストを維持する。
【００１６】
まだ更なる態様において、無線アクセスネットワーク（ＲＡＮ）において移動局からキープアライブ・シグナリングを受信するためのコンピュータプログラムプロダクトが提供される。コンピュータ読み取り可能な記憶媒体は、コンピュータに、移動局から添付のデータなしに識別信号を周期的に受信させるための第１のコードのセットを含む。第２のコードのセットは、前記コンピュータに、前記識別信号に基づいて、前記移動局のためのキープアライブ・タイマーをリセットさせる。第３のコードのセットは、前記コンピュータに、前記移動局のためにコンテキストを維持させる。
【００１７】
まだ更なる態様において、無線アクセスネットワーク（ＲＡＮ）において移動局からキープアライブ・シグナリングを受信するための装置が提供される。移動局から添付のデータなしに識別信号を周期的に受信するための手段が提供される。前記識別信号に基づいて、前記移動局のためのキープアライブ・タイマーをリセットするための手段が提供される。前記移動局のためにコンテキストを維持するための手段が提供される。
【００１８】
まだ他の更なる態様において、無線アクセスネットワーク（ＲＡＮ）において移動局からキープアライブ・シグナリングを受信するための装置が提供される。受信機は、移動局から添付のデータなしに識別信号を周期的に受信する。コンピュータ・プラットホームは、前記識別信号に基づいて、前記移動局のためのキープアライブ・タイマーをリセットし、また、前記移動局のためにコンテキストを維持する。
【００１９】
前述の目的及び関係する目的の達成のために、1又は複数の態様は、以下に十分に説明され、特に特許請求の範囲において指摘された特徴を包含する。以下の説明及び添付された図面は、いくつかの説明的な態様を説明し、また、態様の原理が使用されることのできる様々な方法のうちのほんの数例を示す。他の利点及び新規な特徴は図面と併せて考察したときに以下の詳細な説明から明らかであり、開示された態様はすべての当該の態様及びそれらの均等物を含むことが意図される。
【００２０】
本開示の特徴、性質及び利点は、同様の参照文字が全体的に及びここで対応するように特定する図面を併せて考慮したときに、以下で説明される詳細な説明から、より明らかにされるであろう。
【図面の簡単な説明】
【００２１】
【図１】図１は、アイドルの移動局又はユーザ装置（ＵＥ）が、必ずしもデータを伴わない識別シグナリング（identifying signaling）をアップリンク上で送信することによって状態同期を維持することができる無線通信システムのブロック図を示す。
【図２】図２は、ＭＡＣシグナリング・ベースの“キープアライブ”に関する第１のオプションのためのタイミングチャートを示す。
【図３】図３は、ＲＲＣシグナリング・ベースの“キープアライブ”に関する第２のオプションのためのタイミングチャートを示す。
【図４】図４は、ＮＡＳシグナリング・ベースの“キープアライブ”に関する第３のオプション（第１の変形）のためのタイミングチャートを示す。
【図５】図５は、ＮＡＳシグナリング・ベースの“キープアライブ”に関する第３のオプション（第２の変形）のためのタイミングチャートを示す。
【図６】図６は、一つの態様に従った多元接続無線通信システムのブロック図を示す。
【図７】図７は、一つの態様に従った通信システムのブロック図を示す。
【図８】図８は、キープアライブ識別シグナリングを実行する発展型ベース・ノード（evolved base node）（ｅＮＢ）及びユーザ装置（ＵＥ）のためのコンピュータ・プラットホームのブロック図を示す。
【図９】図９は、無線アクセスネットワーク（ＲＡＮ）に対するキープアライブ・シグナリングを実行する移動局又はＵＥのためのオペレーションの手順又はシーケンスのフローチャートを示す。
【図１０】図１０は、無線アクセスネットワーク（ＲＡＮ）における移動局からキープアライブ・シグナリングを受信するためのオペレーションの手順又はシーケンスのフローチャートを示す。
【詳細な説明】
【００２２】
例えば発展型ユニバーサル地上無線アクセスネットワーク（Evolved Universal Terrestrial Radio Access Network）（E-UTRAN）を使用するような無線通信システムにおいて、移動局は、無線アクセスネットワーク（ＲＡＮ）との“キープアライブ”シグナリングを実行することができる。移動局は、データ部を伴わない識別する“キープアライブ”トランスミッションにおいて、そのプレゼンスをサービングＲＡＮへ送信する。サービングＲＡＮは、承認（acknowledge）を必要としない。それによって、移動局は、サービングＲＡＮとの状態同期を維持する。そして、それはまた、“キープアライブ”トランスミッションが続けられない場合に、移動局に関するコンテキストをタイムリーにリリースすることにおいて利益を得る。一つの態様において、移動局は、０バイトのメディアアクセス制御（ＭＡＣ）のバッファ・ステータス・レポート（その識別するセル無線ネットワーク一時識別情報（Cell Radio Network Temporary Identity）（Ｃ−ＲＮＴＩ）は、キープアライブ目的のためにサービングＲＡＮにより使用されることができる）を伴う、アップリンク・データ到着のためのランダム・アクセス・プロシージャー（ＲＡＣＨ）を利用する。他の態様において、移動局は、サービングＲＡＮを介した基本的なアクセス・ストラタム（ＡＳ）シグナリングによりサポートされる、該移動局に関する識別情報を含む、ノンアクセス・ストラタム（ＮＡＳ）シグナリングを実行することができる。このＮＡＳシグナリングは、ＡＳレベルにおいて移動局の同一のＭＡＣレベルの識別情報をトリガーする。この検出は、ＮＡＳシグナリングの対象とする受信者（例えば、モビリティ管理エンティティー（ＭＭＥ））に、この“キープアライブ”トランスミッションを、サービングＲＡＮへパスさせることによって、強化されることができる。このデータ・アイドル状態の間、移動局にデータを送信する必要があれば、該移動局は、上位層データを含む無線資源制御（ＲＲＣ）メッセージを利用することができる。それは、サービングＲＡＮが同様にキープアライブ・トランスミッションとして認識する。
【００２３】
さて、様々な態様が図面を参照して説明される。以下の記述では、説明のために、多くの特定の細部が、１又は複数の態様の深い理解を与えるために説明される。しかし、これら特定の細部なしに様々な態様が実施され得ることは明らかであろう。他の例において、これら態様の説明を容易にするために、既知の構造及びデバイスがブロック図の形で示される。
【００２４】
図１を参照して、一つの態様における無線通信システム１００は、無線（over-the-air）（ＯＴＡ）リンク１０８を介して、無線アクセスネットワーク（ＲＡＮ）（発展型基地局（ｅＮＢ）１０４として描かれる）と移動局（ユーザ装置（ＵＥ）１０６として描かれる）との間で双方向通信を実行する発展型ユニバーサル地上無線アクセスネットワーク（Ｅ−ＵＴＲＡＮ）１０２を含む。それによって、アクセス・ストラタム（ＡＳ）１１０は、ＵＥ１０６とｅＮＢ１０４との間、コア・ネットワーク１１４で終端するためにｅＮＢ１０４とコア・ネットワーク中の他のネットワーク制御ノード（モバイル管理エンティティー（ＭＭＥ）１１２として描かれる）との間で、サポートされる。アクセス・ストラタム１１０は、ＵＥ１０６と、コア・ネットワーク１１４とインターラクトするためのＭＭＥ１１２との間で、ノンアクセス・ストラタム１１６のトランスポートをサポートする。
【００２５】
説明的な態様において、ＭＭＥ（モビリティ管理エンティティー）１１２は、無線アクセスネットワーク（ＲＡＮ）１０４とインターラクトするコア・ネットワーク・ノードである。それは、待機モードのＵＥのトラッキング及び再送信を含むページング・プロシージャーの役割を果たす。それは、ベアラ起動／停止プロセスに関係し、また、初期の接続の時に又はコア・ネットワーク（ＣＮ）ノードのリロケーションを伴うイントラＬＴＥハンドオーバの時に、ＵＥ １０６のためのサービング・ゲートウェイ（ＳＧＷ）（図示せず）を選択する役割を果たす。それは、（ホーム加入者サーバ（ＨＳＳ）とインターラクトすることによって）ユーザを認証する役割を果たす（図示せず）。ノンアクセス・ストラタム（ＮＡＳ）シグナリングは、ＭＭＥ１１２で終端する。それは、サービスプロバイダの公衆地上移動通信ネットワーク（Public Land Mobile Network）（ＰＬＭＮ）（図示せず）の上にとどまるＵＥ １０６の許可をチェックし、ＵＥローミング・リストリクションを実行する。ＭＭＥ１１２は、ＮＡＳシグナリングのための暗号化／完全性（integrity）保護に関するネットワーク１０２の終端点であり、セキュリティ・キー管理を扱う。シグナリングの正当な傍受はまた、ＭＭＥ１１２によってサポートされる。ＭＭＥ１１２はまた、サービングＧＰＲＳサポート・ノード（ＳＧＳＮ）（図示せず）からＭＭＥ１１２で終端するＳ３インタフェースにより、ＬＴＥ及び２Ｇ／３Ｇアクセスネットワークの間の移動性（mobility）のための制御プレーン機能を提供する。ＭＭＥ１１２はまた、ＵＥ １０６をローミングするために、ホームＨＳＳに向かってＳ６ａインタフェースを終端する。
【００２６】
ｅＮＢ １０４は、ｅＮＢ １０４が少なくともそのためにサービングＲＡＮであるそのカバレージエリア内のそれらＵＥ １０６に関するＵＥコンテキスト１２０を維持する。処理及び資源割り当ての効率性のために、１２２で表されるように他のものが破棄され、このコンテキスト１２０が、正確に、ｅＮＢ １０４に同期した状態にあるそれらＵＥ １０６を反映することは、望ましい。好都合にも、ｅＮＢ １０４のキープアライブ・トラッキング・コンポーネント１２４は、通信システム１００に好都合にも従来に比べてより少ない負担しかかけない、ＵＥ １０６からの少なくとも一つのフォームの識別シグナリング１２６を活用する。例えば、識別シグナリング１２６は、ＵＥコンテキスト１２０にマッチされることができるＵＥ １０６に対する識別子１３０（例えば、Ｃ−ＲＮＴＩ）をもつ、レイヤ２制御チャネル１２８を含むことができる。この識別シグナリング１２６は、幾つかの又は全てのインスタンスにおいて、キープアライブ目的のために送信される不必要なデータ１３４を運んでいる、資源を消耗する（resource-consuming）上位層１３２を、省くことができる。他の態様において、識別シグナリング１２６は、ＮＡＳシグナリング１３５を含むことができる。そして、それは、キープアライブ・トラッキング・コンポーネント１２４のためにｅＮＢ １０４により認識されることができる、ＡＳシグナリング１１０における同一のレイヤ２制御チャネル１２８をトリガーする。ＵＥ １０６は、識別シグナリング１２６のための識別子データ構造１３６、並びに、バッテリー耐用年数を延長するための及び強化された効率性キープアライブ・シグナリングを実行するためのアイドル／キープアライブ・コンポーネント１３８を維持することによって、キープアライブ・シグナリングをサポートする。
【００２７】
ＷＣＤＭＡシステムにおいて、ＴＳ２５．３３１のセクション８．３．１ “ＵＴＲＡ無線資源制御（ＲＲＣ）プロトコル仕様”に記載されているとおり、ＲＲＣ（無線資源制御）接続モードにおける無線アクセスネットワーク（ＲＡＮ）レベルで、“キープアライブ”シグナリングとして、周期的なセル・アップデート・プロシージャーが使用される。生成されるデータ・トラフィックがある場合を除いてユーザ装置（ＵＥ）１０６のアップリンク・アクティビティーが完全に休止されることができる“共通チャネル”状態において、シグナリングが使用される。ＵＥが接続モードにおいて（有効なタイム・アドバンスなしで）アップリンク非同期モードに置かれることができるので、類似する状態が、Ｅ−ＵＴＲＡＮ（発展型ユニバーサル移動通信システムの地上無線アクセスネットワーク）中に存在する。ｅＮＢがＵＥコンテキストを永久に保持する必要がないように、ＲＡＮ（例えば、発展型ベース・ノード（ｅＮＢ））とＵＥとの状態同期を確実にするためのメカニズムがなければならない。本明細書で開示される有利な“キープアライブ”シグナリング・オプションは、ＲＡＮレベルで機能する。
【００２８】
図２に示される一つの態様において、第１のシグナリング・オプションは、メディアアクセス制御（ＭＡＣ）シグナリング・ベースのスキーム又は手順２００を含む。特に、アップリンク・データ到着のためのランダム・アクセス・プロシージャー（ＲＡＣＨ）は、ＵＥ ２０２により使用される。そこにおいて、ｅＮＢ ２０６として示されるネットワークに対して、２０４で示したように、ＭＡＣバッファ・ステータス・レポートが、周期的に送信される。このトランスミッションは、バッファ・ステータスについて“０バイト”を示す。ｅＮＢ ２０６は、“キープアライブ”を送信しているＵＥを識別するために、ＭＡＣ制御エレメントとして送信されるＣ−ＲＮＴＩを見ることができる（ブロック２０８）。２１０で表されるように、繰り返し（repetition）は、循環するタイマー（recurring timer）‘Ｔ’に基づくことができる。
【００２９】
図３における態様において、第２のシグナリング・オプションは、無線資源制御（ＲＲＣ）シグナリング・ベースのスキーム又は手順３００を含む。特に、ＵＥ ３０２は、ＲＲＣメッセージ３０４（それが新しいメッセージであろうと既存のメッセージの再利用であろうと）を使用する。それは、ｅＮＢ ３０６に対して“私は生存している（I am alive）”ことを示すために使用され、識別される（ブロック３０８）。シグナリングの周期性を定義する関連したタイマー３１０が、存在することができる。ＷＣＤＭＡシステムのために、タイマーＴ３０５による周期的なセル・アップデートが定義される点は、留意されるべきである。そのうえ、ＲＲＣメッセージのアップリンク・トランスミッションは、マック・レベルでのアップリンク・データ到着のためのランダム・アクセス・プロシージャーを実際に伴うので、これはマック・シグナリング・ソリューション上の最適化である。ＵＥがその識別情報（例えば、Ｃ−ＲＮＴＩ（セル無線ネットワーク一時識別情報））に加えて伝達するのを望むであろう他の情報が存在するという点で、ＲＲＣシグナリングは強化される。３１２で表されるように、アクセス・ストラタム（ＡＳ）構成の上でのＲＲＣレベルの同期又は何らかのステータスが重要であると考えられるならば、ダウンリンクにおけるＲＲＣ応答メッセージは、必要とされてもよい。
【００３０】
図４における更なる態様において、第３のシグナリング・オプションは、ＮＡＳレベルの“キープアライブ”シグナリング（すなわち、周期的なトラッキング・エリア・アップデート（ＴＡＵ））の上でｅＮＢ ４０６にリプライ４０４を送信するＵＥ４０２のための、ノンアクセス・ストラタム（ＮＡＳ）シグナリング・ベースのスキーム又は手順４００を含む。
【００３１】
このＮＡＳシグナリング・ベースのスキームにおいて、二つのバリエーションが存在する。図４において表される第１の変形において、ｅＮＢ ４０６は、ＮＡＳメッセージ・トランスミッションの結果として生成されるマック制御エレメントにおけるＣ−ＲＮＴＩを捕える（ブロック４０８）。このソリューションの変形において、ｅＮＢ４０６は、ＮＡＳトラッキング・エリア・アップデート・シグナリング４０４の結果として生成されるＭＡＣレベルの情報だけに頼る。それで、第１のオプション（図２）との相違は、効果的に、周期性がＡＳタイマーと対照的にＮＡＳタイマー‘Ｔｘ’４１０によって定義されるということである。また、このソリューションによる一つのレイヤ・バイオレーションの態様は、ｅＮＢがＮＡＳ周期的トラッキング・エリア・アップデートのためのタイマー値を知っていなければならないということである。
【００３２】
第３のオプションに関する第２の変形において、図５の中の手順５００として描かれるように、ｅＮＢ ５０２は、Ｓ１インタフェースの上のＭＭＥ（モビリティ管理エンティティー）５０４からのインジケーションに頼る。この代わりの変形において、Ｅ−ＵＴＲＡＮは、“キープアライブ”を提供する手段を何も実装しない。つまり、Ｅ−ＵＴＲＡＮは、ＮＡＳレベルの“キープアライブ”、ｅＮＢ５０２を介したＵＥ５０８からＭＭＥ５０４へのＮＡＳ周期的トラッキング・エリア・アップデート・プロシージャー５０６に完全に頼る。一旦、タイマー‘Ｔｘ’５１４によって定義されるように、５１２で表される（１又は複数の）トラッキング・エリア・アップデートの欠如によってネットワークからＵＥ５０８が見失われたとＭＭＥ５０４が考えるならば（ブロック５１０）、５１６で表されるように、ＵＥ（そして、それゆえ、ＲＡＮにおけるＵＥコンテンツ）のためのＳ１コネクションは、リリースされる。この点まで、ｅＮＢ ５０２は、ＵＥコンテキストが有効で且つそれを保つと考える。
【００３３】
図６を参照して、一つの態様に従う多元接続無線通信システムが説明される。アクセスポイント６５０（ＡＰ）（それは、例示的な実装において、発展型ベース・ノード（ｅＮＢ）であることができる）は、複数のアンテナ・グループを含み、一つのグループは、６５４及び６５６を含み、もう一つのグループは、６５８及び６６０を含み、更なるグループは、６６２及び６６４を含む。図４において、各々のアンテナ・グループについて、二つのアンテナだけが示されているが、各々のアンテナ・グループについて、より多い又はより少ないアンテナが利用されても良い。アクセス端末（ＡＴ）６６６（それはユーザ装置（ＵＥ）とも呼ばれる）は、アンテナ６６２及び６６４と通信可能であり、ここで、アンテナ６６２及び６６４は、順方向リンク６７０上でアクセス端末６６６に情報を送信し、また、逆方向リンク６６８上でアクセス端末６６６から情報を受信する。アクセス端末６７２は、アンテナ６５６及び６５８と通信可能であり、ここで、アンテナ６５６及び６５８は、順方向リンク６７６上でアクセス端末６７２に情報を送信し、また、逆方向リンク６７４上でアクセス端末６７２から情報を受信する。ＦＤＤシステムにおいて、通信リンク６６８，６７０，６７４及び６７６は、通信のために異なる複数の周波数を使用することができる。例えば、順方向リンク６７０は、逆方向リンク６６８により用いられるものとは異なる周波数を使うことができる。複数のアンテナからなるグループ及び／又はそれらがその中において通信するようにデザインされているところのエリアの各々は、しばしば、アクセスポイント６５０のセクターと呼ばれる。本態様において、アンテナ・グループそれぞれは、アクセス端末６５０によりカバーされる諸エリア内の一つのセクターにおいて諸アクセス端末ＵＥ６６６，６７２と通信するように、デザインされている。
【００３４】
順方向リンク６７０及び６７６上の通信において、アクセスポイント６５０の送信アンテナは、異なる複数のアクセス端末６６６及び６７４のための順方向リンクの信号対雑音比を改善するために、ビームフォーミングを利用する。また、そのカバレージエリアの至る所にランダムに散在するアクセス端末に送信するためにビームフォーミングを使用しているアクセスポイントは、そのすべてのアクセス端末に単一のアンテナを通して送信しているアクセスポイントと比べて、近隣のセルにおけるアクセス端末に対して、より少ない干渉しか引き起こさない。
【００３５】
アクセスポイント６５０は、端末と通信するために使用される固定局であることができ、そして、アクセスポイント、Ｎｏｄｅ Ｂと呼ばれることもでき、又は何らかの他の専門用語で呼ばれることもできる。アクセス端末６６６，６７２は、ユーザ装置（ＵＥ）、無線通信デバイス、端末、アクセス端末と呼ばれることもでき、又は何らかの他の専門用語で呼ばれることもできる。
【００３６】
図７は、ＭＩＭＯシステム７００における送信機システム７１０（別名、アクセスポイント）及び受信機システム７７０（別名、アクセス端末）アクセス端末（ＡＴ）の態様のブロック図である。送信機システム７１０において、幾つかのデータストリームのためのトラフィック・データは、データソース７１２から送信（ＴＸ）データプロセッサ７１４へ提供される。
【００３７】
一つの態様において、各々のデータストリームは、それぞれの送信アンテナ上で送信される。ＴＸデータプロセッサ７１４は、符号化されたデータを供給するために、そのデータストリームについて選択された特定の符号化スキームに基づいて、各々のデータストリームのためのトラフィック・データを、フォーマットし、符号化し、そして、インターリーブする。
【００３８】
各々のデータストリームのための符号化されたデータは、ＯＦＤＭ技術を用いて、パイロット・データと多重化されることができる。パイロット・データは、一般的に、既知の方法で処理された既知のデータ・パターンであり、また、チャネル・レスポンスを推定するために受信機システムで使用されることができる。各々のデータストリームのための多重化されたパイロット及び符号化されたデータは、それから、変調シンボルを提供するために、そのデータストリームについて選択された特定の変調スキーム（例えば、ＢＰＳＫ、ＱＳＰＫ、Ｍ−ＰＳＫ、又はＭ−ＱＡＭ）に基づいて、変調（すなわち、シンボルマッピング）される。各々のデータストリームに関するデータレート、符号化及び変調は、プロセッサ７３０により実行されるインストラクションにより決定されることができる。
【００３９】
すべてのデータストリームのための変調シンボルは、それから、ＴＸ ＭＩＭＯプロセッサ７２０に提供され、そして、ＴＸ ＭＩＭＯプロセッサ７２０は、更に、（例えば、ＯＦＤＭに関して）該変調シンボルを処理することができる。ＴＸ ＭＩＭＯプロセッサ７２０は、それから、ＮＴ個の変調シンボル・ストリームをＮＴ個の送信機（ＴＭＴＲ）７２２ａ〜７２２ｔに提供する。特定の実装において、ＴＸ ＭＩＭＯプロセッサ７２０は、データストリームのシンボルに及び該シンボルが送信されているアンテナに、ビームフォーミング重みを適用する。
【００４０】
各々の送信機７２２は、１又は複数のアナログ信号を提供するために、それぞれのシンボル・ストリームを受信及び処理し、そして、ＭＩＭＯチャネル上でのトランスミッションに適した変調信号を供給するために、該アナログ信号を更に調整（conditions）（例えば、増幅、フィルタリング及びアップコンバート）する。送信機７２２ａ〜７２２ｔのＮＴ個の変調信号は、それから、それぞれ、ＮＴ個のアンテナ７２４ａ〜７２４ｔから送信される。
【００４１】
受信機システム７５０において、送信された変調信号は、ＮＲ個のアンテナ７５２ａ〜７５２ｒにより受信され、そして、各々のアンテナ７５２からの該受信された信号は、それぞれの受信機（ＲＣＶＲ）７５４ａ〜７５４ｒに提供される。各々の受信機７５４は、それぞれの受信された信号を調整（例えば、フィルタリング、増幅及びダウンコンバート）し、サンプルを提供するために、該調整された信号をデジタイズし、更に、対応する“受信（received）”シンボル・ストリームを提供するために、該サンプルを処理する。
【００４２】
ＲＸデータプロセッサ７６０は、それから、ＮＴ個の“検出（detected）”シンボル・ストリームを提供するために、特定の受信機処理技術に基づいて、ＮＲ個の受信機７５４から、該ＮＲ個の受信シンボル・ストリームを受信し処理する。ＲＸデータプロセッサ７６０は、それから、データストリームのためのトラフィック・データを回復するために、各々の検出されたシンボル・ストリームを、復調し、デインターリーブし、そして、復号化する。ＲＸデータプロセッサ７６０による処理は、送信機システム７１０におけるＴＸ ＭＩＭＯプロセッサ７２０及びＴＸデータプロセッサ７１４により実行されるそれと相補的である。
【００４３】
プロセッサ７７０は、周期的に、いずれのプリコーディング・マトリックスを使用するべきかについて判定する（以下に記載する）。プロセッサ７７０は、マトリックス・インデックス部とランク値部とを含む逆方向リンク・メッセージを作成する。
【００４４】
逆方向リンク・メッセージは、通信リンク及び／又は受信データストリームに関して様々なタイプの情報を含むことができる。逆方向リンク・メッセージは、それから、ＴＸデータプロセッサ７３８（それはまた、データソース７３６から幾つかのデータストリームのためのトラフィック・データを受信する。）により処理され、変調器７８０により変調され、送信機７５４ａ〜７５４ｒにより調整され、そして、もとの送信機システム７１０へ送信される。
【００４５】
送信機システム７１０において、受信機システム７５０からの変調信号は、受信機システム７５０により送信された逆方向リンク・メッセージを抽出するために、アンテナ７２４により受信され、受信機７２２により調整され、復調器７４０により復調され、そして、ＲＸデータプロセッサ７４２により処理される。プロセッサ７３０は、それから、いずれのプリコーディング・マトリックスを、ビームフォーミング重みを決定するための用いるかについて判定し、次に、該抽出されたメッセージを処理する。
【００４６】
一つの態様において、論理チャネルは、制御チャネルとトラフィックチャネルに分類される。論理制御チャネルは、システム制御情報を放送するためのＤＬチャネルであるブロードキャスト制御チャネル（Broadcast Control Channel）（ＢＣＣＨ）を含む。ページング制御チャネル（Paging Control Channel）（ＰＣＣＨ）は、ページング情報を転送するＤＬチャネルである。マルチキャスト制御チャネル（Multicast Control Channel）（ＭＣＣＨ）は、マルチメディアブロードキャスト及びマルチキャストサービス（Multimedia Broadcast and Multicast Service）（ＭＢＭＳ）スケジューリングと、１又はいくつかのＭＴＣＨに関する制御情報とを送信するために使用されるポイントツーマルチポイント・チャネルである。通常、ＲＲＣコネクションを確立した後に、このチャネルは、ＭＢＭＳ（注：旧ＭＣＣＨ＋ＭＳＣＨ）を受信するＵＥにより使用されるだけである。専用制御チャネル（Dedicated Control Channel）（ＤＣＣＨ）は、専用制御情報を送信し且つＲＲＣコネクションを持つＵＥにより使用される、ポイントツーポイント双方向チャネルである。態様において、論理トラフィックチャネルは、ユーザ情報のトランスファーのための（一つのＵＥのために専用された）ポイントツーポイント双方向チャネルである専用トラフィックチャネル（Dedicated Traffic Channel）（ＤＴＣＨ）を含む。その上、マルチキャスト・トラフィックチャネル（Multicast Traffic Channel）（ＭＴＣＨ）は、トラフィック・データを送信するためのポイントツーマルチポイントＤＬチャネルである。
【００４７】
一つの態様において、トランスポート・チャネルは、ＤＬとＵＬに分類される。ＤＬトランスポート・チャネルは、ブロードキャスト・チャネル（Broadcast Channel）（ＢＣＨ）、ダウンリンク共有データ・チャネル（Downlink Shared Data Channel）（ＤＬ−ＳＤＣＨ）及びページング・チャネル（Paging Channel）（ＰＣＨ）を含む。ＵＥの省電力のサポートのためのＰＣＨ（ＤＲＸサイクルは、ＵＥへのネットワークにより示される）は、セル全体にわたってブロードキャストされ、また、他の制御チャネル／トラフィックチャネルのために使用されることのできるＰＨＹ資源にマッピングされる。ＵＬトランスポート・チャネルは、ランダム・アクセス・チャネル（Random Access Channel）（ＲＡＣＨ）、リクエスト・チャネル（Request Channel）（ＲＥＱＣＨ）、アップリンク共有データ・チャネル（Uplink Shared Data Channel）（ＵＬ−ＳＤＣＨ）及び複数個のＰＨＹチャネルを含む。ＰＨＹチャネルは、ＤＬチャネル群及びＵＬチャネル群のセットを含む。
【００４８】
ＤＬ ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、承認チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、負荷インジケータ・チャネル（ＬＩＣＨ）を含む。ＵＬ ＰＨＹチャネルは、物理ランダム・アクセス・チャネル（ＰＲＡＣＨ）、チャネル品質インジケータ・チャネル（ＣＱＩＣＨ）、承認チャネル（ＡＣＫＣＨ）、アンテナ・サブセット・インジケータ・チャネル（ＡＳＩＣＨ）、共有リクエスト・チャネル（ＳＲＥＱＣＨ）、ＵＬ物理共有データ・チャネル（ＵＬ−ＰＳＤＣＨ）、ブロードバンド・パイロット・チャネル（ＢＰＩＣＨ）を含む。
【００４９】
一つの態様において、シングルキャリア波形の低ＰＡＲ（いつでも、該チャネルは周波数上で近接に又は均一に間隔を置いて配置される）特性を維持するチャネル構造が提供される。
【００５０】
本文書のために、以下の略記法が適用される。  
3GPP    第三世代パートーシップ・プロジェクト（Third Generation Partnership Project）  
AIS     自動識別システム（Automatic Identification System）  
AM      承認モード（Acknowledged Mode）  
AMD     承認モード・データ（Acknowledged Mode Data）  
ARQ     自動再送リクエスト（Automatic Repeat Request）  
AS      アクセス・ストラタム（Access Stratum）  
BCCH    ブロードキャスト制御チャネル（Broadcast Control Channel）  
BCH     ブロードキャスト・チャネル（Broadcast Channel）  
BLER    ブロック・エラー・レート（Block Error Rate）  
C-      制御-（Control-）  
CCCH    共通制御チャネル（Common Control Channel）  
CCH     制御チャネル（Control Channel）  
CCTrCH  符号化複合トランスポート・チャネル（Coded Composite Transport Channel）  
CDI     チャネル方向情報（Channel Direction Information）  
C-RNTI  セル無線ネットワーク一時識別情報（Cell Radio Network Temporary Identity）  
CP      サイクリックプリフィックス（Cyclic Prefix）  
CRC     巡回冗長検査（Cyclic Redundancy Check）  
CTCH    共通トラフィックチャネル（Common Traffic Channel）  
DCCH    専用制御チャネル（Dedicated Control Channel）  
DCH     専用チャネル（Dedicated Channel）  
DL      ダウンリンク（DownLink）  
DL-SCH  ダウンリンク共有チャネル（Downlink Shared Channel）  
DSCH    ダウンリンク共有チャネル（Downlink Shared Channel）  
DTCH    専用トラフィックチャネル（Dedicated Traffic Channel）  
eNB     発展型ベース・ノード（evolved Base Node）  
E-UTRAN 発展型ユニバーサル移動通信システムの地上無線アクセスネットワーク（Evolved Universal Mobile Telecommunications System Terrestrial Radio Access Network）  
FACH    順方向リンク・アクセス・チャンネル（Forward link Access Channel）  
FDD     周波数分割双方向（Frequency Division Duplex）  
FSTD    周波数スイッチング送信ダイバーシティー（Frequency Switching Transmit Diversity）  
FTSTD   周波数時間スイッチング送信ダイバーシティー（Frequency Time Switching Transmit Diversity）  
HFN     ハイパー・フレーム数（Hyper Frame Number）  
i.i.d.  独立同一分布に従う（independent and identically distributed）  
L1      レイヤ１（物理レイヤ）（Layer 1 (physical layer)）  
L2      レイヤ２（データリンク層）（Layer 2 (data link layer)）  
L3      レイヤ３（ネットワーク層）（Layer 3 (network layer)）  
LI      長さインジケータ（Length Indicator）  
LSB     最下位ビット（Least Significant Bit）  
LTE     ロング・ターム・エボリューション（Long Term Evolution）  
MAC     メディアアクセス制御（Medium Access Control）  
MBMS    マルチメディア・ブロードキャスト・マルチキャスト・サービス（Multimedia Broadcast Multicast Service）  
MBSFN   マルチキャスト・ブロードキャスト単一周波数ネットワーク（Multicast Broadcast Single Frequency Network）  
MCCH    ＭＢＭＳポイントツーマルチポイント制御チャネル（MBMS point-to-multipoint Control Channel）  
MCE     ＭＢＭＳ調整エンティティー（MBMS Coordinating Entity）  
MCH     マルチキャスト・チャネル（Multicast Channel）  
MIMO    多重入力多重出力（Multiple Input Multiple Output）  
MME     モビリティ管理エンティティー（Mobility Management Entity）  
MRW     ムーブ受信ウインドウ（Move Receiving Window）  
MSB     最上位ビット（Most Significant Bit）  
MSCH    ＭＢＭＳポイントツーマルチポイント・スケジューリング・チャネル（MBMS point-to-multipoint Scheduling Channel）  
MTCH    ＭＢＭＳポイントツーマルチポイント・トラフィックチャネル（MBMS point-to-multipoint Traffic Channel）  
NAS     ノンアクセス・ストラタム（Non-Access Stratum）  
OFDM    直交周波数分割マルチプレックス（Orthogonal Frequency Division Multiplex）  
PBCH    物理ブロードキャスト・チャネル（Physical Broadcast Channel）  
PCCH    ページング制御チャネル（Paging Control Channel）  
PCH     ページング・チャネル（Paging Channel）  
PDCCH   物理ダウンリンク制御チャネル（Physical Downlink Control Channel）  
PDSCH   物理ダウンリンク共有チャネルＰＤＵプロトコル・データ・ユニット（Physical Downlink Shared Channel PDU Protocol Data Unit）  
PFSTD   プリコード周波数スイッチング送信ダイバーシティー（Precoded Frequency Switching Transmit Diversity）  
PHY     物理レイヤ（PHYsical layer）  
PhyCH   物理チャネル（Physical Channels）  
PSC     一次同期チャネル（Primary Synchronization Channel）  
PUSCH   物理アップリンク共有チャネル（Physical Uplink Shared Channel）  
PUCCH   物理アップリンク制御チャネル（Physical Uplink Control Channel）  
PVS     プリコーディング・ベクトル・スイッチ（Precoding Vector Switch）  
QoS     サービス品質（Quality of Service）  
RACH    ランダム・アクセス・チャネル（Random Access Channel）  
RAN     無線アクセスネットワーク（Radio Access Network）  
RLC     無線リンク制御（Radio Link Control）  
RRC     無線資源制御（Radio Resource Control）  
RS      受信信号（Received Signal）  
RX      受信（Receive）  
SCH     同期チャネル（Synchronization Channel）  
SAP     サービス・アクセス・ポイント（Service Access Point）  
SFBC    空間周波数ブロックコード（Space-Frequency Block-Code）  
SSC     二次同期チャネル（Secondary Synchronization Channel）  
SDU     サービス・データ・ユニット（Service Data Unit）  
SHCCH   共有チャネル制御チャネル（SHared channel Control Channel）  
SN      シーケンス番号（Sequence Number）  
SUFI    スーパー・フィールド（SUper Field）  
TCH     トラフィックチャネル（Traffic Channel）  
TDD     時分割双方向（Time Division Duplex）  
TFI     トランスポート・フォーマット・インジケータ（Transport Format Indicator）  
TM      トランスペアレント・モード（Transparent Mode）  
TMD     トランスペアレント・モード・データ（Transparent Mode Data）  
TTI     トランスミッション・タイム・インターバル（Transmission Time Interval）  
TX      送信（Transmit）  
U-      ユーザ-（User-）  
UE      ユーザ装置（User Equipment）  
UL      アップリンク（UpLink）  
UM      不承認モード（Unacknowledged Mode）  
UMB     ウルトラ・モバイル・ブロードバンド（Ultra Mobile Broadband）  
UMD     不承認モード・データ（Unacknowledged Mode Data）  
UMTS    ユニバーサル移動通信システム（Universal Mobile Telecommunications System）  
UTRA    ＵＭＴＳ地上無線アクセス（UMTS Terrestrial Radio Access）  
UTRAN   ＵＭＴＳ地上無線アクセスネットワーク（UMTS Terrestrial Radio Access Network）  
VTSTD   バーチャル・タイム・スイッチング送信ダイバーシティー（Virtual Time Switching Transmit Diversity）  
WCDMA          ワイドバンド符号分割多元接続（Wideband Code Division Multiple Access）  
WWAN    無線ワイド・エリア・ネットワーク（Wireless Wide Area Network）
図８において、サービング無線アクセスネットワーク（ＲＡＮ）（発展型ベース・ノード（ｅＮＢ）８００として描かれる）は、例えばコンピュータに移動局からキープアライブ・シグナリングを受信させるためのコードセットのような手段を提供するコンピュータ・プラットホーム８０２を持つ。特に、コンピュータ・プラットホーム８０２は、（１又は複数の）プロセッサ８２０により実行される複数のモジュール８０６−８１０を格納するコンピュータ読み取り可能な記憶媒体（例えば、メモリ）８０４を含む。プロセッサ８２０により制御される変調器８２２は、送信機８２４による変調のためのダウンリンク信号を用意し、（１又は複数の）アンテナ８２６により放射される。受信機８２８は、（１又は複数の）アンテナ８２６からアップリンク信号を受信し、それは復調器８２８により復調され、復号化するためにプロセッサ８２０に提供される。特に、手段（例えば、モジュール、コードセット）８０６は、データを伴わない識別信号を移動局から周期的に受信するために提供される。手段（例えば、モジュール、コードセット）８０８は、識別信号に基づいて、移動局のためのキープアライブ・タイマーをリセットするために提供される。手段（例えば、モジュール、コードセット）８１０は、移動局のためのコンテキストを維持するために提供される。
【００５１】
続いて図８を参照して、（ユーザ装置（ＵＥ）８５０として描かれた）移動局は、例えばコンピュータに無線アクセスネットワーク（ＲＡＮ）へのキープアライブ・シグナリングをさせるためのコードセットのような手段を提供するコンピュータ・プラットホーム８５２を持つ。特に、コンピュータ・プラットホーム８５２は、（１又は複数の）プロセッサ８７０により実行される複数のモジュール８５６−８５８を格納するコンピュータ読み取り可能な記憶媒体（例えば、メモリ）８５４を含む。プロセッサ８７０により制御される変調器８７２は、送信機８７４による変調のためのアップリンク信号を用意し、８７７で表されるように（１又は複数の）アンテナ８７６によりｅＮＢ８００へ放射される。受信機８７８は、（１又は複数の）アンテナ８７６から、ｅＮＢ８００からのダウンリンク信号を受信し、それは復調器８７８により復調され、復号化するためにプロセッサ８７０に提供される。特に、手段（例えば、モジュール、コードセット）８５６は、サービング無線アクセスネットワークに送信するためにキューに入れられているデータが存在しないことを判定するためのものである。手段（例えば、モジュール、コードセット）８５８は、コンテキストの維持を促す、データを伴わない識別信号を周期的に送信することによってサービング無線アクセスネットワークとの状態同期を維持するために提供される。
【００５２】
図９において、移動局又はＵＥが無線アクセスネットワーク（ＲＡＮ）へのキープアライブ・シグナリングを実行するための手順９００又はオペレーションのシーケンスが提供される。一つの態様において、ＵＥは、キープアライブ・シグナリングについて、複数のスキームから選択することができる。例えばモビリティ管理エンティティー（ＭＭＥ）のようなネットワーク・エンティティーへのノンアクセス・ストラタム（ＮＡＳ）の上でなされるトラッキング・エリア・アップデート（ＴＡＵ）を要求する通信システム内で、ＵＥが動作しているかどうかに関して、判定がなされる（ブロック９０２）。もしそうならば、ＵＥは、ＴＡＵタイマーに従って、周期的に、サービング無線アクセスネットワーク（ＲＡＮ）を介して、ＭＭＥにＮＡＳ ＴＡＵを送信する（ブロック９０４）。ＵＥはサービングＲＡＮ（例えば、ｅＮＢ）への識別シグナリングを控えることができ、サービングＲＡＮが、ＮＡＳ ＴＡＵに添付されたＭＡＣコンテンツからの識別コンテキストを検出することができるならば（ブロック９０６）、又は、ＵＥが見失われたことがＭＭＥにより通知されるまで、サービングＲＡＮがコンテキストを維持するならば（ブロック９０８）、９１０で表されるように、ＵＥはキープアライブ目的のために他の識別シグナリングを控えることができる。代わりに又は加えて、ブロック９０２においてＮＡＳ ＴＡＵが要求されないと判定されるならば、たとえＵＥがデータ・アイドル状態にあるとしても好都合にもデータがサービングＲＡＮに送信されることができることの更なる判定がなされることができる（ブロック９１２）。もしそうならば、データは、Ｅ−ＵＴＲＡＮプロトコルを実行することによって、アップリンクの上で送信されることができる（ブロック９１４）。特に、このトランスミッションは、ランダム・アクセス・チャネル（ＲＡＣＨ）プロシージャーを利用する無線資源制御（ＲＲＣ）メッセージを送信することであることができる（ブロック９１６）。代わりに又は加えて、ブロック９０２において送信されるべきＮＡＳ ＴＡＵがなく、且つ、ブロック９１２におけるように、データを送信する必要がないならば、キープアライブ目的のために、データを伴わない識別シグナリングがなされる（ブロック９１８）。他の態様において、この識別シグナリングは、ランダム・アクセス・プロシージャー（ＲＡＣＨ）による０バイトのデータを示すメディアアクセス制御（ＭＡＣク）バッファ・ステータス・レポート及び識別するセル無線ネットワーク一時識別情報（Ｃ−ＲＮＴＩ）を含む（ブロック９２０）。キープアライブ目的のためにデータを送信する必要がないことによって、９２２で表されるように、このアイドル／キープアライブ・アプローチは、サービング無線アクセスネットワークから承認を受信する必要なく、再送されることができる。
【００５３】
図１０において、無線アクセスネットワーク（ＲＡＮ）において移動局からキープアライブ・シグナリングを受信するための手順１０００又がオペレーションのシーケンスが表される。ｅＮＢは、移動局から、必ずしもデータを伴わない識別信号を、周期的に受信する（ブロック１００２）。ｅＮＢは、識別信号に基づいて、移動局のためのキープアライブ・タイマーをリセットすることによって、応答する（ブロック１００４）。それによって、ｅＮＢは、状態同期のために、移動局のためのコンテキストを維持する（ブロック１００６）。説明的な態様において、この識別シグナリングは、アップリンク・データ到着のためのランダム・アクセス・プロシージャーを使用して、０バイトを示すＭＡＣバッファ・ステータス・レポートを受信することを含む（ブロック１００８）。１０１０で表されるように、ｅＮＢは、識別シグナリングの受信を承認することをオミットすることができる。代わりに又は加えて、一つの態様において、サービングＲＡＮ又はｅＮＢは、Ｅ−ＵＴＲＡＮプロトコルを復号化することによって、移動局又はＵＥからシグナリング・データを伴う識別シグナリングを受信することができる（ブロック１０１２）。ｅＮＢは、受信されたＥ−ＵＴＲＡＮシグナリング・データから移動局の識別情報を判定することに基づいて、移動局のためのキープアライブ・タイマーをリセットする（ブロック１０１４）。代わりに又は加えて、ｅＮＢは、ＵＥがＮＡＳ ＴＡＵを送信する要求から利益を得ることができる（ブロック１０１６）。識別シグナリングは、ｅＮＢによってＭＭＥにリレーされるように、検出されることができ（ブロック１０１８）、あるいは、ＵＥがＮＡＳ ＴＡＵを送信することを停止したことを、ＭＭＥがｅＮＢにアラートするまで、ｅＮＢはコンテキストを維持する（ブロック１０２０）。
【００５４】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００５５】
本明細書で開示された実施形態に関連して説明された、各種の説明的な論理ブロック、モジュール、回路、及び、アルゴリズムのステップは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明的なコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本開示の範囲からの逸脱をもたらすものとして説明されるべきではない。
【００５６】
この出願において用いられるように、用語“コンポーネント（component）”、“モジュール（module）”、“システム（system）”及び同類のものは、コンピュータ関連のエンティティー、ハードウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されない）。例として、サーバ上で動作するアプリケーションと、そのサーバの両方とも、コンポーネントであることができる。１又は複数のコンポーネントがプロセス及び／又は実行のスレッドの内部に存在することができ、また、一つのコンポーネントが一つのコンピュータに局在し及び／又は２以上のコンピュータ間に分散されることができる。
【００５７】
The word “exemplary” is used herein to mean serving as an example, instance, or illustration.
“例示的な（exemplary）”という語は、“例（example）、インスタンス（instance）又はイラストレーション（illustration）として役に立つこと”を意味するために本明細書で用いられる。“例示的な（exemplary）”として本明細書で説明された態様又はデザインは、他の態様又はデザイン以上に好ましい又は有利であると解釈される必要はない。
【００５８】
様々な態様は、幾つかのコンポーネント、モジュールなどを含んでもよいシステムに関して示される。様々なシステムが、更なるコンポーネント、モジュールなどを含んでもよく及び／又は図面に関連して議論されたコンポーネント、モジュールなどを必ずしもすべて含まなくてもよいことは、理解及び認識されるべきである。また、これらのアプローチの組み合せが使用されても良い。本明細書で開示される様々な態様は、タッチ・スクリーン・ディスプレイ技術、及び／又は、マウス−アンド−キーボードのタイプのインタフェースを利用するデバイスを含む電気デバイスの上で実行されることができる。そのようなデバイスの例は、コンピュータ（デスクトップ及びモバイル）、高度自動機能電話（smart phones）、携帯情報端末（ＰＤＡ）、及び、無線と有線両方の他の電子デバイスを含む。
【００５９】
その上、本明細書に開示された実施形態に関連して説明された、種々の説明的な、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジック、個別のハードウェアコンポーネント、又は本明細書で説明された機能を実行するようにデザインされた任意のそれらの組み合わせで実装されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００６０】
さらにまた、一つ又は複数のバージョンは、開示された態様を実装するようコンピュータを制御するためのソフトウェア、ファームウェア、ハードウェア、又はそれらの任意の組み合せを作り出すための標準的なプログラミング及び／又はエンジニアリング技術を使用して、方法、装置又は製品として実装されることができる。本明細書で用いられる用語“製品（article of manufacture）”（又は、その代わりに、“コンピュータプログラムプロダクト（computer program product）”）は、任意のコンピュータ読み取り可能なデバイス、キャリア又は媒体からアクセスできるコンピュータプログラムを包含することを意図されている。例えば、コンピュータ読み取り可能な媒体は、磁気記憶装置（例えば、ハードディスク、フロッピー（登録商標）ディスク、磁気ストリップ…）、光ディスク（例えば、コンパクトディスク（ＣＤ）、デジタル多用途ディスク（ＤＶＤ）…）、スマートカード、及びフラッシュメモリ・デバイス（例えば、カード、スティック…）を含むことができるが、それらに制限されるものではない。その上、コンピュータ読み取り可能な電子データ（例えば、電子メールを送信及び受信する際に又はインターネット若しくはローカルエリアネットワーク（ＬＡＮ）のようなネットワークにアクセスする際に使用されるものなど）を運ぶために、キャリア・ウェイブが使用できることは、理解されるべきである。もちろん、開示された態様の範囲を逸脱することなく多くの修正がこの構成になされることができることを当業者は認めるであろう。
【００６１】
本明細書に開示された実施形態に関連して説明された方法又はアルゴリズムのステップは、直接、ハードウェアにより具体化されても良いし、プロセッサにより実行されるソフトウェアモジュールにより具体化されても良いし、又は、それら二つの組合せにより具体化されても良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において周知の任意の他のフォームの記憶媒体に存在しても良い。例示的な記憶媒体は、プロセッサがその記憶媒体から情報を読み込み、また、それへ情報を書き込むことができるように、そのプロセッサに接続される。代わりに、記憶媒体は、プロセッサに一体化されていても良い。プロセッサ及び記憶媒体は、ＡＳＩＣにおいて存在してもよい。ＡＳＩＣは、ユーザ端末に存在しても良い。代案では、プロセッサ及び記憶媒体は、ユーザ端末の個別のコンポーネントとして存在しても良い。
【００６２】
開示された実施形態の前の説明は、当業者が本開示を製造又は使用できるようにするために提供される。これらの実施形態への種々の変形は、当業者には容易に明白になるであろう。また、本明細書で定義された一般的な原理は、本開示の精神又は範囲から逸脱することなく、他の実施形態に適用されても良い。それゆえ、本開示は、本明細書で示された実施形態に限定されることが意図されているのではなく、本明細書に開示された原理及び新規な特徴に合致する最も広い範囲を与えられることが意図されている。
【００６３】
上記に説明された例示的なシステムを考慮して、開示された主題に従って実装されることができる手順が、幾つかのフローチャートを参照して、説明された。説明を簡単にする目的で、手順が一連のブロックとして図示され説明されるが、クレームされた主題は、ブロックの順序により制限されるものではなく、幾つかのブロックが、１又は複数の実施形態に従って、本明細書で図示され説明されるものとは異なる順序で及び／又は他のブロックと同時に発生しても良いことは、理解（understood）及び認識（appreciated）されるべきである。さらに、本明細書で説明された手順を実装するために、必ずしも説明されたすべてのブロックが要求されなくても良い。その上、本明細書で開示される手順は、そのような手順をコンピュータへトランスポート又はトランスファーすることを容易にするために製品に記憶されることができることは、更に認識されるべきである。本明細書で使用される製品という用語は、任意のコンピュータ読み取り可能なデバイス、キャリア又は媒体からアクセスできるコンピュータプログラムを包含することを意図されている。
【００６４】
参照により本明細書に組み込まれると言われる何れの特許、公開又は他の開示資料も、全体又は一部において、その組み込まれた資料がこの開示で説明される既存の定義、ステートメント又は他の開示資料と矛盾しない範囲においてのみ、本明細書に組み込まれることは、理解されるべきである。よって、必要な範囲で、本明細書で明確に説明される開示は、参照により本明細書に組み込まれる何れの矛盾する資料にも優先する。参照により本明細書に組み込まれると言われたが本明細書で説明される既存の定義、ステートメント又は他の開示資料に矛盾する何れの資料又はその部分も、その組み込まれた資料と該既存の開示資料との間で矛盾が起こらない範囲でのみ、組み込まれるであろう。
【図１】
2011511584.tif 000003
【図２】
2011511584.tif 000004
【図３】
2011511584.tif 000005
【図４】
2011511584.tif 000006
【図５】
2011511584.tif 000007
【図６】
2011511584.tif 000008
【図７】
2011511584.tif 000009
【図８】
2011511584.tif 000010
【図９】
2011511584.tif 000011
【図１０】
2011511584.tif 000012
【国際調査報告】
2011511584.tif 000013
2011511584.tif 000014
2011511584.tif 000015